(57)【要約】【課題】ユーザーが所望する処理を容易に指示する。【解決手段】画像形成装置１００は制御部５を備える。制御部５は、表示部５１、第１選択部５２、第２選択部５３、決定部５４、及び実行部５５を備える。表示部５１は、複数の第１文字列ＴＸ１、及び複数の第２文字列ＴＸ２を表示する。第１選択部５２は、ユーザーからの入力に基づいて複数の第１文字列ＴＸ１の中から１つの第１文字列ＴＸ１を選択する。第２選択部５３は、ユーザーからの入力に基づいて複数の第２文字列ＴＸ２の中から少なくとも１つの第２文字列ＴＸ２を選択する。決定部５４は、１つの第１文字列ＴＸ１と１つの第２文字列ＴＸ２とに対応する処理ＥＸを決定する。実行部５５は、決定部５４が決定した処理ＥＸを実行する。【選択図】図２
2017163192.tif 000002
【特許請求の範囲】
【請求項１】
複数の第１文字列、及び複数の第２文字列を表示する表示部と、
ユーザーからの入力に基づいて前記複数の第１文字列の中から１つの第１文字列を選択する第１選択部と、
ユーザーからの入力に基づいて前記複数の第２文字列の中から少なくとも１つの第２文字列を選択する第２選択部と、
前記１つの第１文字列と前記少なくとも１つの第２文字列とに対応する処理を決定する決定部と、
前記決定部が決定した処理を実行する実行部と
を備える、画像形成装置。
【請求項２】
前記第１文字列は、前記決定部が決定する処理の対象を示す、請求項１に記載の画像形成装置。
【請求項３】
ユーザーからの入力に基づいて前記第１文字列を生成し、前記第１選択部による選択の対象として前記第１文字列を登録する第１登録部を更に備える、請求項２に記載の画像形成装置。
【請求項４】
前記第２文字列は、前記決定部が決定する処理の機能を示す、請求項１から請求項３のいずれか１項に記載の画像形成装置。
【請求項５】
ユーザーからの入力に基づいて前記第２文字列を生成し、前記第２選択部による選択の対象として前記第２文字列を登録する第２登録部を更に備える、請求項４に記載の画像形成装置。
【請求項６】
前記第２登録部は、ユーザーからの入力に基づいて前記決定部が決定する処理の機能を決定し、前記処理の機能を前記第２文字列に対応付けて登録する、請求項５に記載の画像形成装置。
【請求項７】
前記第２登録部は、ユーザーからの入力に基づいて前記決定部が決定する処理の機能を示す文字列を決定し、前記第２文字列に対応付けて、前記処理の機能を示す文字列を登録する、請求項６に記載の画像形成装置。
【請求項８】
前記第２登録部は、ユーザーからの入力に基づいてアイコンを決定し、前記第２文字列に対応付けて、前記アイコンを登録する、請求項６又は請求項７に記載の画像形成装置。
【請求項９】
前記第２選択部は、２つ以上の所定個数の前記第２文字列を選択し、
前記決定部は、前記１つの第１文字列と前記所定個数の前記第２文字列とに対応する前記所定個数の処理を決定し、
前記実行部は、前記決定部が決定した前記所定個数の処理を実行する、請求項１から請求項８のいずれか１項に記載の画像形成装置。
【発明の詳細な説明】
【技術分野】
【０００１】
本発明は、画像形成装置に関する。
【背景技術】
【０００２】
画像形成装置に対する種々の設定を容易にする様々な技術が知られている。例えば、特許文献１には、印刷設定情報のデータフォーマットを変換する印刷設定装置が開示されている。具体的には、印刷設定装置は、操作受付部、印刷設定情報生成部、変換部、及び出力部を備える。操作受付部は、ユーザーからの入力を受け付ける。印刷設定情報生成部は、ユーザーからの入力に基づいて印刷設定を行うと共に、印刷設定に基づいて１つのデータフォーマットの印刷設定情報を生成する。変換部は、１つのデータフォーマットの印刷設定情報を他のデータフォーマットの印刷設定情報に変換する。出力部は、変換部が生成した印刷設定情報を出力する。
【０００３】
特許文献１に記載の印刷設定装置によれば、不慣れな画像形成装置に対しても印刷設定を容易に行うことができる。
【先行技術文献】
【特許文献】
【０００４】
【特許文献１】特開２０１４−２６５６２号公報
【発明の概要】
【発明が解決しようとする課題】
【０００５】
しかしながら、特許文献１に記載の印刷設定装置では、印刷以外の機能に関しては効果がない。したがって、画像形成装置の印刷以外の機能をユーザーが用いる際に、画像形成装置に対してユーザーが所望する処理を容易に指示できない場合がある。
【０００６】
本発明は、上記課題に鑑みてなされたものであり、ユーザーが所望する処理を容易に指示できる画像形成装置を提供することを目的としている。
【課題を解決するための手段】
【０００７】
本発明の画像形成装置は、表示部、第１選択部、第２選択部、決定部、及び実行部を備える。前記表示部は、複数の第１文字列、及び複数の第２文字列を表示する。前記第１選択部は、ユーザーからの入力に基づいて前記複数の第１文字列の中から１つの第１文字列を選択する。前記第２選択部は、ユーザーからの入力に基づいて前記複数の第２文字列の中から少なくとも１つの第２文字列を選択する。前記決定部は、前記１つの第１文字列と前記少なくとも１つの第２文字列とに対応する処理を決定する。前記実行部は、前記決定部が決定した処理を実行する。
【発明の効果】
【０００８】
本発明の画像形成装置によれば、ユーザーが所望する処理を容易に指示できる。
【図面の簡単な説明】
【０００９】
【図１】画像形成装置の構成を示す図である。
【図２】制御部及び記憶部の構成を示す図である。
【図３】表示部がタッチパネルに表示する画面の一例を示す図である。
【図４】第１選択部の機能の一例を示す図である。
【図５】第２選択部の機能の一例を示す図である。
【図６】第２選択部の機能の他の一例を示す図である。
【図７】制御部の動作を示すフローチャートである。
【図８】制御部の登録処理を示すフローチャートである。
【発明を実施するための形態】
【００１０】
以下、本発明の実施形態について、図面（図１〜図８）を参照しながら説明する。なお、図中、同一又は相当部分については同一の参照符号を付して説明を繰り返さない。
【００１１】
まず、図１を参照して本発明の実施形態に係る画像形成装置１００について説明する。図１は、画像形成装置１００の構成を示す図である。図１に示すように、画像形成装置１００は複合機である。画像形成装置１００は、画像形成ユニット１、画像読取ユニット２、原稿搬送ユニット３、操作パネル４、制御部５及び記憶部６を備える。画像形成装置１００は、図略のパーソナルコンピューター（ＰＣ）と通信可能に接続されている。
【００１２】
画像形成ユニット１は、記録媒体の一例である用紙Ｐに画像を形成する。画像読取ユニット２は、原稿Ｒに形成された画像を読み取る。原稿搬送ユニット３は、原稿Ｒを画像読取ユニット２に供給する。操作パネル４は、タッチパネル４１を備え、ユーザーからの操作を受け付ける。制御部５は、画像形成装置１００の動作を制御する。
【００１３】
また、画像形成ユニット１は、給紙カセット１１、搬送ローラー対１２、画像形成部１３、定着器１４、排出ローラー対１５、及び排出トレイ１６を備える。
【００１４】
給紙カセット１１から繰り出された用紙Ｐは、搬送ローラー対１２によって画像形成部１３まで搬送される。画像形成部１３は、用紙Ｐに画像を形成する。画像が形成された用紙Ｐは、定着器１４まで搬送される。定着器１４は、用紙Ｐに形成された画像を用紙Ｐに定着する。画像が定着された用紙Ｐは、排出ローラー対１５によって排出トレイ１６へ排出される。
【００１５】
制御部５は、プロセッサーを備える。記憶部６には制御プログラムが記憶されている。プロセッサーは、記憶部６に記憶された制御プログラムを読み出して実行することによって画像形成装置１００の動作を制御する。プロセッサーは、例えば、ＣＰＵ（Ｃｅｎｔｒａｌ  Ｐｒｏｃｅｓｓｉｎｇ  Ｕｎｉｔ）を含む。
【００１６】
次に、図２を参照して制御部５及び記憶部６の構成について説明する。図２は、制御部５及び記憶部６の構成を示す。図２に示すように、制御部５は、表示部５１、第１選択部５２、第２選択部５３、決定部５４、実行部５５、第１登録部５６及び第２登録部５７を備える。具体的には、プロセッサーは、記憶部６に記憶された制御プログラムを読み出して実行することによって、表示部５１、第１選択部５２、第２選択部５３、決定部５４、実行部５５、第１登録部５６及び第２登録部５７として機能する。
【００１７】
また、記憶部６は、ＨＤＤ（Ｈａｒｄ  Ｄｉｓｋ  Ｄｒｉｖｅ）６１、ＵＳＢ（Ｕｎｉｖｅｒｓａｌ  Ｓｅｒｉａｌ  Ｂｕｓ）メモリー６２、ＳＤ（Ｓｅｃｕｒｅ  Ｄｉｇｉｔａｌ）メモリーカード６３及び図略のＳＳＤ（Ｓｏｌｉｄ  Ｓｔａｔｅ  Ｄｒｉｖｅ）を含む。制御プログラムは、例えば、ＨＤＤ６１に記憶されている。
【００１８】
次に、図２〜図６を参照して制御部５及び記憶部６の機能について説明する。まず、図２及び図３を参照して制御部５及び記憶部６の機能について説明する。図３は、表示部５１がタッチパネル４１に表示する画面６００の一例を示す。図３に示すように、画面６００は、第１文字列表示部６０１、第２文字列表示部６０２、ガイダンス表示部６０３、通常メニュー表示ボタン６０４、複数機能選択ボタン６０５、キャンセルボタン６０６、決定ボタン６０７及びジョブ実行ボタン６０８を含む。
【００１９】
第１文字列表示部６０１は、複数の第１文字列ＴＸ１を第１選択部５２による選択の対象として表示する。第１文字列ＴＸ１は、「処理ＥＸの対象」を示す。「処理ＥＸの対象」とは、決定部５４が決定する処理ＥＸの対象となるデータ（例えば、画像データ及びテキストデータを含む）を示す。決定部５４が決定する処理ＥＸは、画像形成装置１００が実行する処理ＥＸを示す。例えば、「処理ＥＸの対象」は、原稿Ｒの読み取り画像データ、ＵＳＢメモリー６２に記憶されている画像データ若しくはテキストデータ、又はファクシミリ受信した画像データである。
【００２０】
第１選択部５２は、ユーザーからの入力に基づいて第１文字列表示部６０１に表示された複数の第１文字列ＴＸ１の中から１つの第１文字列ＴＸ１を選択する。
【００２１】
第２文字列表示部６０２は、複数の第２文字列ＴＸ２を第２選択部５３による選択の対象として表示する。第２文字列ＴＸ２は、「処理ＥＸの機能ＦＮ」を示す。「処理ＥＸの機能ＦＮ」とは、処理ＥＸの対象に対して行う処理ＥＸの内容を示す。具体的には、「処理ＥＸの機能ＦＮ」は、例えば、印刷機能、データ送信機能、又はファクシミリ送信機能である。
【００２２】
第２選択部５３は、ユーザーからの入力に基づいて第２文字列表示部６０２に表示された複数の第２文字列ＴＸ２の中から１つの第２文字列ＴＸ２を選択する。
【００２３】
記憶部６（例えば、ＨＤＤ６１）は、複数の第１文字列ＴＸ１、複数の第２文字列ＴＸ２及び複数の機能ＦＮを示す情報を記憶する。また、記憶部６は、複数の第１文字列ＴＸ１に対応付けて、それぞれ、処理ＥＸの対象を記憶している。更に、記憶部６は、複数の第２文字列ＴＸ２に対応付けて、それぞれ、処理ＥＸの機能ＦＮを示す情報を記憶している。複数の第１文字列ＴＸ１及び複数の第２文字列ＴＸ２は、表示部５１によって記憶部６から読み出される。複数の第１文字列ＴＸ１は、第１登録部５６によって、記憶部６に書き込まれる。複数の第２文字列ＴＸ２及び複数の機能ＦＮを示す情報は、第２登録部５７によって、記憶部６に書き込まれる。
【００２４】
ガイダンス表示部６０３は、操作に関する種々のガイダンス情報を表示する。
【００２５】
通常メニュー表示ボタン６０４は、図略の通常メニュー画面を表示する場合に、ユーザーがタッチする。通常メニュー画面には、種々のアイコンが選択の対象として表示される。
【００２６】
複数機能選択ボタン６０５は、２つ以上の処理ＥＸを選択する場合にユーザーがタッチする。具体的には、複数機能選択ボタン６０５がタッチされると、第２選択部５３は、以下の処理を行う。すなわち、第２選択部５３は、ユーザーからの入力に基づいて第２文字列表示部６０２に表示された複数の第２文字列ＴＸ２の中から、２つ以上の第２文字列ＴＸ２を選択する。
【００２７】
決定ボタン６０７は、処理ＥＸを決定する場合にユーザーがタッチする。決定ボタン６０７をユーザーがタッチした場合には、決定部５４は、１つの第１文字列ＴＸ１と１つの第２文字列ＴＸ２とに対応する１つの処理ＥＸを決定する。具体的には、１つの第１文字列ＴＸ１は、第１選択部５２が選択した第１文字列ＴＸ１を示す。１つの第２文字列ＴＸ２は、第２選択部５３が選択した第２文字列ＴＸ２を示す。決定部５４は、１つの第１文字列ＴＸ１に対応する１つの対象と、１つの第２文字列ＴＸ２に対応する１つの機能ＦＮとに基づき、１つの処理ＥＸを決定する。
【００２８】
複数機能選択ボタン６０５がタッチされている場合に、決定ボタン６０７をユーザーがタッチした場合には、決定部５４は、１つの第１文字列ＴＸ１と２つ以上の第２文字列ＴＸ２とに対応する２つ以上の所定個数Ｎの処理ＥＸを決定する。所定個数Ｎは、例えば、３つである。具体的には、１つの第１文字列ＴＸ１は、第１選択部５２が選択した第１文字列ＴＸ１を示す。所定個数Ｎの第２文字列ＴＸ２は、第２選択部５３が選択した所定個数Ｎの第２文字列ＴＸ２を示す。決定部５４は、１つの第１文字列ＴＸ１に対応する１つの対象と、所定個数Ｎの第２文字列ＴＸ２にそれぞれ対応する所定個数Ｎの機能ＦＮとに基づき、所定個数Ｎの処理ＥＸを決定する。
【００２９】
キャンセルボタン６０６は、選択状態をキャンセルする場合にユーザーがタッチする。具体的には、例えば、第１選択部５２が１つの第１文字列ＴＸ１を選択した場合に、１つの第１文字列ＴＸ１が選択状態になる。そして、キャンセルボタン６０６をユーザーがタッチすると、１つの第１文字列ＴＸ１の選択状態がキャンセルされる。その結果、第１選択部５２が１つの第１文字列ＴＸ１を選択可能な状態になる。また、例えば、決定ボタン６０７をユーザーがタッチした場合には、決定部５４が１つの処理ＥＸを決定する。そして、キャンセルボタン６０６をユーザーがタッチすると、１つの処理ＥＸがキャンセルされる。その結果、第１選択部５２が１つの第１文字列ＴＸ１を選択可能な状態になる。
【００３０】
ジョブ実行ボタン６０８は、処理ＥＸを実行する場合にユーザーがタッチする。ジョブ実行ボタン６０８をユーザーがタッチした場合には、実行部５５は、決定部５４が決定した処理ＥＸを実行する。
【００３１】
第１登録部５６は、ユーザーからの入力に基づいて第１文字列ＴＸ１を生成し、第１選択部５２による選択の対象として登録する。具体的には、第１登録部５６は、例えばソフトウェアキーボードをタッチパネル４１に表示し、ユーザーからの入力を受け付ける。そして、第１登録部５６は、受け付けた入力に基づいて第１文字列ＴＸ１を生成し、処理ＥＸの対象と対応付けて記憶部６に書き込む。
【００３２】
第２登録部５７は、ユーザーからの入力に基づいて第２文字列ＴＸ２を生成し、第２選択部５３による選択の対象として登録する。具体的には、第２登録部５７は、例えばソフトウェアキーボードをタッチパネル４１に表示し、ユーザーからの入力を受け付ける。そして、第２登録部５７は、受け付けた入力に基づいて第２文字列ＴＸ２を生成し、記憶部６に書き込む。
【００３３】
また、第２登録部５７は、ユーザーからの入力に基づいて処理ＥＸの機能ＦＮ、処理ＥＸの機能ＦＮを示す機能名ＦＮＮ及びアイコンを選択する。更に、第２登録部５７は、処理ＥＸの機能ＦＮ、機能名ＦＮＮ及びアイコンを第２文字列ＴＸ２に対応付けて記憶部６に書き込む。
【００３４】
以上、図２及び図３を参照して説明したように、決定部５４は、第１選択部５２が選択した１つの第１文字列ＴＸ１と、第２選択部５３が選択した１つの第２文字列ＴＸ２とに対応する処理ＥＸを決定する。実行部５５は、決定部５４が決定した処理ＥＸを実行する。このように、１つの第１文字列ＴＸ１と１つの第２文字列ＴＸ２とに対応する処理ＥＸを決定するため、ユーザーが処理ＥＸを容易に選択できる。したがって、ユーザーが所望する処理ＥＸを容易に指示できる。
【００３５】
次に、図２及び図４〜図６を参照して表示部５１、第１選択部５２、第２選択部５３、決定部５４及び実行部５５の機能について具体的に説明する。まず、図４を参照して、表示部５１及び第１選択部５２について説明する。図４は、第１選択部５２の機能の一例を示す。図４に示す画面６００の構成は、図３に示す画面６００の構成と同一である。
【００３６】
図４に示すように、表示部５１は、記憶部６から複数の第１文字列ＴＸ１を読み出して、第１文字列表示部６０１に選択可能に表示する。表示部５１は、図４に示すように、第１文字列表示部６０１に、以下に示すような第１文字列ＴＸ１を表示する。すなわち、表示部５１は、例えば、「Ａ．スキャンした画像を」、「Ｂ．このＭＦＰ内に保存されている画像（文書）を」及び「Ｃ．ＵＳＢメモリーに保存されている画像（文書）を」のような第１文字列ＴＸ１を表示する。また、第１選択部５２は、タッチパネル４１を介してユーザーからの入力を受け付ける。第１選択部５２は、ユーザーからの入力に基づいて第１文字列表示部６０１に表示された複数の第１文字列ＴＸ１の中から１つの第１文字列ＴＸ１を選択する。
【００３７】
例えば、「Ａ．スキャンした画像を」が選択されると、第１選択部５２は、画像読取ユニット２が読み取った画像データを、処理ＥＸの対象として選択する。また、例えば、「Ｃ．ＵＳＢメモリーに保存されている画像（文書）を」が選択されると、第１選択部５２は、ＵＳＢメモリー６２に記憶されている画像データを、処理ＥＸの対象として選択する。
【００３８】
ユーザーが「Ａ．スキャンした画像を」を選択すると、表示部５１は、次の処理を促すガイダンス情報をガイダンス表示部６０３に表示する。具体的には、表示部５１は、第２文字列表示部６０２に表示された複数の第２文字列ＴＸ２の中から１つの第２文字列ＴＸ２を選択する旨のガイダンス情報をガイダンス表示部６０３に表示する。表示部５１は、例えば、「「スキャンした画像を」、どうしますか？右欄から選択してください。」のようなガイダンス情報をガイダンス表示部６０３に表示する。
【００３９】
次に、図５を参照して、表示部５１、第２選択部５３、決定部５４及び実行部５５について説明する。図５は、第２選択部５３の機能の一例を示す図である。図５に示す画面６００の構成は、図３に示す画面６００の構成と同一である。
【００４０】
図５に示すように、表示部５１は、記憶部６から複数の第２文字列ＴＸ２を読み出して、第２文字列表示部６０２に選択可能に表示する。表示部５１は、第２文字列表示部６０２に、以下に示すような第２文字列ＴＸ２を表示する。すなわち、表示部５１は、例えば、「１．プリントする」、「２．ＭＦＰ内のＨＤＤに保存する」及び「３．ＵＳＢメモリーに保存する」のような第２文字列ＴＸ２を表示する。また、第２選択部５３は、タッチパネル４１を介してユーザーからの入力を受け付ける。第２選択部５３は、ユーザーからの入力に基づいて第２文字列表示部６０２に表示された複数の第２文字列ＴＸ２の中から１つの第２文字列ＴＸ２を選択する。
【００４１】
「１．プリントする」が選択されると、処理ＥＸの機能ＦＮとして印刷機能が選択される。具体的には、第１選択部５２が「Ａ．スキャンした画像を」を選択し、第２選択部５３が「１．プリントする」を選択した場合には、「スキャンした画像をプリントする」という処理ＥＸを選択する。処理ＥＸは、「コピー機能」を示す。
【００４２】
ユーザーが「１．プリントする」を選択すると、表示部５１は、次の処理を促すガイダンス情報をガイダンス表示部６０３に表示する。具体的には、表示部５１は、決定ボタン６０７にタッチする旨のガイダンス情報をガイダンス表示部６０３に表示する。表示部５１は、例えば、「「スキャンした画像をプリントする」に決定する場合は、決定ボタンにタッチしてください。」のようなガイダンス情報をガイダンス表示部６０３に表示する。
【００４３】
決定部５４が決定ボタン６０７のタッチを受け付けると、決定部５４は、第１選択部５２が選択した第１文字列ＴＸ１と、第２選択部５３が選択した第２文字列ＴＸ２とに基づき、処理ＥＸを決定する。具体的には、決定部５４は、例えば、処理ＥＸを「コピー機能」に決定する。
【００４４】
表示部５１は、ジョブ実行ボタン６０８にタッチする旨のガイダンス情報をガイダンス表示部６０３に表示する。表示部５１は、例えば、「「スキャンした画像をプリントする」を実行する場合は、ジョブ実行ボタンにタッチしてください。」のようなガイダンス情報をガイダンス表示部６０３に表示する。実行部５５が、ジョブ実行ボタン６０８のタッチを受け付けると、実行部５５は処理ＥＸを実行する。具体的には、実行部５５は、画像読取ユニット２を介して、原稿Ｒに形成された画像を読み取り、画像データを生成する。そして、実行部５５は、画像形成ユニット１を介して、画像データを用紙Ｐに印刷する。
【００４５】
以上、図２〜図５を参照して説明したように、第１選択部５２は、ユーザーからの入力に基づいて複数の第１文字列ＴＸ１の中から１つの第１文字列ＴＸ１を選択する。第２選択部５３は、ユーザーからの入力に基づいて複数の第２文字列ＴＸ２の中から少なくとも１つの第２文字列ＴＸ２を選択する。決定部５４は、１つの第１文字列ＴＸ１と少なくとも１つの第２文字列ＴＸ２とに対応する処理ＥＸを決定する。実行部５５は、決定部５４が決定した処理ＥＸを実行する。このように、１つの第１文字列ＴＸ１と少なくとも１つの第２文字列ＴＸ２とに対応する処理ＥＸを決定するため、ユーザーが処理ＥＸを容易に選択できる。したがって、ユーザーが所望する処理ＥＸを容易に指示できる。
【００４６】
また、第１文字列ＴＸ１は、決定部５４が決定する処理ＥＸの対象を示す。よって、複数の第１文字列ＴＸ１の中から１つの第１文字列ＴＸ１を選択することによって、処理ＥＸの対象を容易に決定できる。したがって、ユーザーが所望する処理ＥＸを更に容易に指示できる。
【００４７】
更に、第２文字列ＴＸ２は、決定部５４が決定する処理ＥＸの機能ＦＮを示す。よって、複数の第２文字列ＴＸ２の中から１つの第２文字列ＴＸ２を選択することによって、処理ＥＸの機能ＦＮを容易に決定できる。したがって、ユーザーが所望する処理ＥＸを更に容易に指示できる。また、処理ＥＸの機能ＦＮを示す第２文字列ＴＸ２が表示されるため、ユーザーは、今まで知らなかった機能ＦＮを知ることができる。更に、今まで知らなかった機能ＦＮを知ることによって、ユーザーは、画像形成装置１００を更に有効に活用することができる。
【００４８】
次に、図２及び図６を参照して、複数の処理ＥＸを実行する場合について説明する。図６は、第２選択部５３の他の機能の一例を示す図である。第２選択部５３が、２つ以上の第２文字列ＴＸ２を選択する点で、図５に示す態様と相違する。図６に示す画面６００の構成は、図５に示す画面６００の構成と同一である。
【００４９】
図６に示すように、複数機能選択ボタン６０５が選択されている。複数機能選択ボタン６０５が選択されているため、第２選択部５３は、第２文字列表示部６０２に表示された複数の第２文字列ＴＸ２の中から、２つ以上の第２文字列ＴＸ２を選択する。具体的には、第２選択部５３は、例えば、「１．プリントする」、「３．ＵＳＢメモリーに保存する」及び「５．ＰＣフォルダーに送信する」を選択する。「ＰＣフォルダー」とは、図略のパーソナルコンピューターのフォルダーを示す。
【００５０】
また、図６に示すように、図５に示す画面６００と同様に、第１選択部５２は、第１文字列表示部６０１に表示された複数の第１文字列ＴＸ１の中から「Ａ．スキャンした画像を」を選択している。「Ａ．スキャンした画像を」を選択し、第２選択部５３が「１．プリントする」を選択しているため、決定部５４は、「スキャンした画像をプリントする」という第１処理ＥＸ１を決定する。第１処理ＥＸ１は、「コピー機能」を示す。
【００５１】
また、「Ａ．スキャンした画像を」を選択し、「３．ＵＳＢメモリーに保存する」を選択しているため、決定部５４は、「スキャンした画像をＵＳＢメモリーに保存する」という第２処理ＥＸ２を決定する。第２処理ＥＸ２は、ＵＳＢメモリー６２への「送信機能」を示す。更に、「Ａ．スキャンした画像を」を選択し、「５．ＰＣフォルダーに送信する」を選択しているため、決定部５４は、「スキャンした画像をＰＣフォルダーに送信する」という第３処理ＥＸ３を決定する。第３処理ＥＸ３は、ＰＣフォルダーへの「送信機能」を示す。
【００５２】
決定部５４が第１処理ＥＸ１、第２処理ＥＸ２及び第３処理ＥＸ３を決定し、決定部５４が決定ボタン６０７のタッチを受け付けた場合には、表示部５１は、ジョブ実行ボタン６０８にタッチする旨のガイダンス情報をガイダンス表示部６０３に表示する。表示部５１は、例えば、図６に示すように、「３つのジョブを実行する場合は、ジョブ実行ボタンをタッチしてください。」のようなガイダンス情報をガイダンス表示部６０３に表示する。
【００５３】
実行部５５が、ジョブ実行ボタン６０８のタッチを受け付けると、実行部５５は第１処理ＥＸ１、第２処理ＥＸ２及び第３処理ＥＸ３を実行する。具体的には、まず、実行部５５からの指示に基づき、原稿搬送ユニット３が原稿Ｒを搬送し、画像読取ユニット２が原稿Ｒに形成された画像を読み取り、画像データを生成する。そして、画像読取ユニット２が生成した画像データを、画像形成ユニット１が用紙Ｐに印刷する。以上の動作によって第１処理ＥＸ１が終了する。次に、実行部５５からの指示に基づき、制御部５が、画像読取ユニット２が生成した画像データをＵＳＢメモリー６２に保存する。この動作によって第２処理ＥＸ２が終了する。更に、実行部５５からの指示に基づき、制御部５が、画像読取ユニット２が生成した画像データをＰＣフォルダーに送信する。この動作によって第３処理ＥＸ３が終了する。
【００５４】
以上、図２及び図６を参照して説明したように、複数機能選択ボタン６０５が選択されている場合に、第２選択部５３は、２つ以上の第２文字列ＴＸ２を選択する。また、決定部５４は、１つの第１文字列ＴＸ１と２つ以上の第２文字列ＴＸ２とに対応する２つ以上の処理ＥＸを決定する。更に、実行部５５は、決定部５４が決定した２つ以上の処理ＥＸを実行する。よって、２つ以上の処理ＥＸを容易に選択し、実行することができる。したがって、ユーザーが所望する処理ＥＸを更に容易に指示できる。
【００５５】
次に、図２及び図７を参照して、制御部５の動作を説明する。図７は、制御部５の動作を示すフローチャートである。まず、図７に示すように、ステップＳ１０１において、第１選択部５２が複数の第１文字列ＴＸ１から１つの第１文字列ＴＸ１を選択したか否かを判定する。第１選択部５２が１つの第１文字列ＴＸ１を選択していないと判定した場合（ステップＳ１０１でＮＯ）には、処理が待機状態になる。第１選択部５２が１つの第１文字列ＴＸ１を選択したと判定した場合（ステップＳ１０１でＹＥＳ）には、処理がステップＳ１０３に進む。そして、ステップＳ１０３において、第２選択部５３は、複数の処理ＥＸを選択するか否かを判定する。具体的には、第２選択部５３は、複数機能選択ボタン６０５が選択されているか否かに応じて、複数の処理ＥＸを選択するか否かを判定する。
【００５６】
第２選択部５３が複数の処理ＥＸを選択すると判定した場合（ステップＳ１０３でＹＥＳ）には、処理がステップＳ１０５に進む。第２選択部５３が複数の処理ＥＸを選択しないと判定した場合（ステップＳ１０３でＮＯ）には、処理がステップＳ１１１に進む。そして、ステップＳ１１１において、第２選択部５３が複数の第２文字列ＴＸ２の中から１つの第２文字列ＴＸ２を選択したか否かの判定を行う。第２選択部５３が１つの第２文字列ＴＸ２を選択していないと判定した場合（ステップＳ１１１でＮＯ）には、処理が待機状態になる。第２選択部５３が１つの第２文字列ＴＸ２を選択したと判定した場合（ステップＳ１１１でＹＥＳ）には、処理がステップＳ１１３に進む。そして、ステップＳ１１３において、決定部５４が、ステップＳ１０１で選択された１つの第１文字列ＴＸ１と、ステップＳ１１１で選択された１つの第２文字列ＴＸ２に基づき処理ＥＸを決定する。そして、処理がステップＳ１１５に進む。
【００５７】
ステップＳ１０３でＹＥＳの場合には、ステップＳ１０５において、第２選択部５３が複数の第２文字列ＴＸ２の中から１つの第２文字列ＴＸ２を選択したか否かの判定を行う。第２選択部５３が１つの第２文字列ＴＸ２を選択していないと判定した場合（ステップＳ１０５でＮＯ）には、処理が待機状態になる。第２選択部５３が１つの第２文字列ＴＸ２を選択したと判定した場合（ステップＳ１０５でＹＥＳ）には、処理がステップＳ１０７に進む。そして、ステップＳ１０７において、決定部５４が、ステップＳ１０１で選択された１つの第１文字列ＴＸ１と、ステップＳ１０５で選択された１つの第２文字列ＴＸ２とに基づき処理ＥＸを決定する。次に、ステップＳ１０９において、決定部５４が、２つ以上の処理を選択済であるか否かを判定する。具体的には、決定部５４は、例えば図６に示す決定ボタン６０７がタッチされた場合に、２つ以上の処理を選択済であると判定する。
【００５８】
決定部５４が２つ以上の処理を選択済ではないと判定した場合（ステップＳ１０９でＮＯ）には、処理がステップＳ１０５に戻る。決定部５４が２つ以上の処理を選択済であると判定した場合（ステップＳ１０９でＹＥＳ）には、処理がステップＳ１１５に進む。そして、ステップＳ１１５において、実行部５５が、ステップＳ１０７又はステップＳ１１３で選択された処理ＥＸを実行するか否かを判定する。具体的には、実行部５５は、例えば図５又は図６に示すジョブ実行ボタン６０８がタッチされた場合に、処理ＥＸを実行すると判定する。
【００５９】
実行部５５が処理ＥＸを実行すると判定した場合（ステップＳ１１５でＹＥＳ）には、処理がステップＳ１１９に進む。そして、ステップＳ１１９において、実行部５５が処理ＥＸを実行し、処理が終了する。実行部５５が処理ＥＸを実行しないと判定した場合（ステップＳ１１５でＮＯ）には、処理がステップＳ１１７に進む。そして、ステップＳ１１７において、実行部５５が処理ＥＸをキャンセルするか否かを判定する。具体的には、図５又は図６に示すキャンセルボタン６０６がタッチされた場合に、実行部５５が処理ＥＸをキャンセルすると判定する。実行部５５が処理ＥＸをキャンセルすると判定した場合（ステップＳ１１７でＹＥＳ）には、処理が終了する。実行部５５が処理ＥＸをキャンセルしないと判定した場合（ステップＳ１１７でＮＯ）には、処理がステップＳ１１５に戻る。
【００６０】
次に、図２及び図８を参照して、第１登録部５６及び第２登録部５７の動作について説明する。図８は、制御部５の「登録処理」を示すフローチャートである。「登録処理」は、第１登録部５６及び第２登録部５７が、第１文字列ＴＸ１、処理ＥＸの対象、第２文字列ＴＸ２、処理ＥＸの機能ＦＮ、機能名ＦＮＮ及びアイコンを記憶部６に書き込む処理を示す。まず、ステップＳ２０１において、第１登録部５６が第１文字列ＴＸ１を登録するか否かを判定する。第１登録部５６が第１文字列ＴＸ１を登録しないと判定した場合（ステップＳ２０１でＮＯ）には、処理がステップＳ２０７に進む。第１登録部５６が第１文字列ＴＸ１を登録すると判定した場合（ステップＳ２０１でＹＥＳ）には、処理がステップＳ２０３に進む。そして、ステップＳ２０３において、第１登録部５６が第１文字列ＴＸ１を受け付ける。次に、ステップＳ２０５において、第１登録部５６が第１文字列ＴＸ１を登録する。具体的には、第１登録部５６は、タッチパネル４１に表示される設定画面を介して処理ＥＸの対象を選択する。そして、第１登録部５６が第１文字列ＴＸ１を処理ＥＸの対象と対応付けて記憶部６に書き込み、処理が終了する。
【００６１】
ステップＳ２０１でＮＯの場合には、ステップＳ２０７において、第２登録部５７が第２文字列ＴＸ２を登録するか否かを判定する。第２登録部５７が第２文字列ＴＸ２を登録しないと判定した場合（ステップＳ２０７でＮＯ）には、処理が終了する。第２登録部５７が第２文字列ＴＸ２を登録すると判定した場合（ステップＳ２０７でＹＥＳ）には、処理がステップＳ２０９に進む。そして、ステップＳ２０９において、第２登録部５７が第２文字列ＴＸ２を受け付ける。
【００６２】
次に、ステップＳ２１１において、第２登録部５７が処理ＥＸの機能ＦＮの選択を受け付ける。具体的には、第２登録部５７は、タッチパネル４１に表示される設定画面を介してユーザーが所望する機能ＦＮを選択する。次いで、ステップＳ２１３において第２登録部５７が機能名ＦＮＮの入力を受け付ける。具体的には、第２登録部５７は、例えばソフトウェアキーボードをタッチパネル４１に表示し、ユーザーからの入力を受け付ける。また、第２登録部５７は、ユーザーから受け付けた入力に基づいて機能名ＦＮＮを示す文字列を生成する。そして、ステップＳ２１５において第２登録部５７がアイコンの選択を受け付ける。具体的には、第２登録部５７は、アイコンの一覧画面をタッチパネル４１に表示し、ユーザーからの入力に基づいて処理ＥＸを示すアイコンを選択する。次に、ステップＳ２１７において、ステップＳ２１１〜ステップＳ２１５で受け付けた処理ＥＸの機能ＦＮ、機能名ＦＮＮ及びアイコンに、ステップＳ２０９で受け付けた第２文字列ＴＸ２を対応付けて登録する。具体的には、処理ＥＸの機能ＦＮ、機能名ＦＮＮ及びアイコンに、第２文字列ＴＸ２を対応付けて記憶部６に書き込む。そして、処理を終了する。
【００６３】
以上、図２及び図８を参照して説明したように、第１登録部５６は、ユーザーからの入力に基づいて第１文字列ＴＸ１を生成し、第１選択部５２による選択の対象として登録する。よって、処理ＥＸの対象をユーザーが所望する第１文字列ＴＸ１を用いて選択することができる。したがって、ユーザーが所望する処理ＥＸを更に容易に指示できる。
【００６４】
また、第２登録部５７が、ユーザーからの入力に基づいて第２文字列ＴＸ２を生成し、第２選択部５３による選択の対象として登録する。よって、処理ＥＸの機能ＦＮをユーザーが所望する第２文字列ＴＸ２を用いて選択することができる。ユーザーが所望する処理ＥＸを更に容易に指示できる。
【００６５】
更に、第２登録部５７は、ユーザーからの入力に基づいて処理ＥＸの機能ＦＮを決定し、処理ＥＸの機能ＦＮを第２文字列ＴＸ２に対応付けて登録する。また、第２登録部５７が登録した第２文字列ＴＸ２を第２選択部５３が選択した場合に、決定部５４は、第２登録部５７が登録した処理ＥＸの機能ＦＮに基づき、処理ＥＸを決定する。よって、ユーザーが所望する機能ＦＮを追加することができる。ユーザーが所望する処理ＥＸを更に容易に指示できる。
【００６６】
加えて、第２登録部５７は、ユーザーからの入力に基づいて処理ＥＸの機能ＦＮを示す機能名ＦＮＮを決定する。また、第２登録部５７は、第２文字列ＴＸ２に対応付けて、処理ＥＸの機能ＦＮを示す機能名ＦＮＮを登録する。よって、第２文字列ＴＸ２が選択された場合に、第２文字列ＴＸ２に対応する処理ＥＸの機能ＦＮを示す機能名ＦＮＮとして、ユーザーが所望する機能名ＦＮＮを表示できる。したがって、ユーザーが所望する処理ＥＸを更に容易に指示できる。
【００６７】
また、第２登録部５７は、ユーザーからの入力に基づいてアイコンを決定し、第２文字列ＴＸ２に対応付けて、アイコンを登録する。よって、第２文字列ＴＸ２に対応付けてユーザーが好みのアイコンを登録できる。したがって、ユーザーがアイコンによって処理ＥＸの機能ＦＮを選択できるため、ユーザーが所望する処理ＥＸを更に容易に指示できる。例えば、ユーザーが登録したアイコンを通常メニュー画面に表示することによって、通常メニュー画面に表示されたアイコンをタッチして処理ＥＸの機能ＦＮを選択できる。また、例えば、ユーザーが登録したアイコン及び機能名ＦＮＮを通常メニュー画面に表示することによって、ユーザーは更に容易に処理ＥＸの機能ＦＮを選択できる。
【００６８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００６９】
（１）図３〜図６を参照して説明したように、表示部５１は画面６００に第１文字列表示部６０１及び第２文字列表示部６０２を表示するが、本発明はこれに限定されない。例えば、表示部５１が第１文字列表示部６０１と第２文字列表示部６０２とを別の画面に表示する形態でもよい。この形態では、第１文字列ＴＸ１及び第２文字列ＴＸ２を多数表示することができる。
【００７０】
（２）図３〜図６を参照して説明したように、複数機能選択ボタン６０５がタッチされた場合に第２選択部５３は２つ以上の第２文字列ＴＸ２を選択するが、本発明はこれに限定されない。図１に示す操作パネル４に配置された特定のキーを押下した場合に第２選択部５３が２つ以上の第２文字列ＴＸ２を選択する形態でもよい。
【００７１】
（３）図３〜図６を参照して説明したように、制御部５はタッチパネル４１を介してユーザーからの入力を受け付けるが、本発明はこれに限定されない。例えば、図１に示す操作パネル４に配置されたキーの押下を介して制御部５がユーザーからの入力を受け付ける形態でもよい。
【産業上の利用可能性】
【００７２】
本発明は、画像形成装置に利用可能である。
【符号の説明】
【００７３】
１００    画像形成装置
１    画像形成ユニット
２    画像読取ユニット
３    原稿搬送ユニット
４    操作パネル
４１    タッチパネル
５    制御部
５１    表示部
５２    第１選択部
５３    第２選択部
５４    決定部
５５    実行部
５６    第１登録部
５７    第２登録部
６    記憶部
６１    ＨＤＤ
６２    ＵＳＢメモリー
６３    ＳＤメモリーカード
【図１】
2017163192.tif 000003
【図２】
2017163192.tif 000004
【図３】
2017163192.tif 000005
【図４】
2017163192.tif 000006
【図５】
2017163192.tif 000007
【図６】
2017163192.tif 000008
【図７】
2017163192.tif 000009
【図８】
2017163192.tif 000010